(57)【要約】【課題】利用者の特別な意識を要することなく、南天処理物を長期にわたって確実に、水虫に侵された部分に施すことのできる手法を提供する。【解決手段】本考案にかかる靴の中敷は、南天の葉の乾燥粉末(1)を含む板材(2)で構成したことを特徴とする。該板材(2)は、通気性を有する表面層(21)と、通気性を有さない最下層(23)と、該表面層(21)と該最下層(23)との間に配置された中間層(22)を有し、該乾燥粉末(1)は、該中間層(22)に詰められていてもよい。利用者が裸足で着用する形式の履き物であれば、該乾燥粉末(1)は、該板材(2)の表面に分散されていてもよく、或いは該板材(2)の素材に混合されていてもよい。【選択図】        図１
0003107394.tif 000002
【実用新案登録請求の範囲】
【請求項１】
南天の葉の乾燥粉末(1)を含む板材(2)で構成したことを特徴とする靴の中敷。
【請求項２】
該板材(2)は、通気性を有する表面層(21)と、通気性を有さない最下層(23)と、該表面層(21)と該最下層(23)との間に配置された中間層(22)を有し、該乾燥粉末(1)は、該中間層(22)に詰められている請求項１に記載の靴の中敷。
【請求項３】
該乾燥粉末(1)は、該板材(2)の表面に分散されている請求項１に記載の靴の中敷。
【請求項４】
該乾燥粉末(1)は、該板材(2)の素材に混合されている請求項１に記載の靴の中敷。
【考案の詳細な説明】
【技術分野】
【０００１】
本考案は、靴の中敷きに関するものである。
【背景技術】
【０００２】
南天の葉に、白癬菌に対する調和による消去効果のあることが、本出願人により発見されている。そして、その消去効果を利用するための具体的な手法が、特開２００３−６３９７９号公報に開示されている。
【特許文献１】特開２００３−６３９７９号公報
【考案の開示】
【考案が解決しようとする課題】
【０００３】
上記具体的な手法は、南天の葉を処理して得た液体や粉末（以下、南天処理物という）を、水虫に侵された部分に直接施すものと、接足物を介して間接的に施すものとに大別される。
【０００４】
しかしながら、南天処理物を水虫に侵された部分に直接施す手法では、利用者が南天処理物の塗布を忘れたりする等の個人的事情により、十分な効果を得られない可能性がある。これに対し、接足物を介する手法では、南天処理物が間接的に施されるため施した時点での効果はやや弱くなるものの、接足物は、利用者の南天処理物を施すという特別な意識の有無に関わらず日常的に使用されるものであるため、利用者の個人的事情に左右される度合いが低減され、長期的には南天処理物によるより大きな効果を期待できる。従って、一般に完治に長期間を有するとされている水虫に対しては、接足物を介する手法がより好ましいといえる。
【０００５】
そこで、本出願人が接足物の具体化を検討したところ、上記公報に具体例として挙げた靴下及び靴では、以下の問題点が判明した。
【０００６】
まず、靴下とした場合、直接足に接する点では優れているものの、そこに施された南天処理物は洗濯により消失してしまう問題があった。
【０００７】
一方、靴とした場合、そこに施された南天処理部が消失するほどの洗濯を避けることはできるものの、靴の使用耐久期限内に南天処理部の効果が消失するおそれがあった。
【０００８】
そこで、本考案の目的は、利用者の特別な意識を要することなく、南天処理物を長期にわたって確実に、水虫に侵された部分に施すことのできる手法を提供することにある。
【課題を解決するための手段】
【０００９】
本考案にかかる靴の中敷は、南天の葉の乾燥粉末を含有する板材で構成したことを特徴とする。
【００１０】
該板材は、通気性を有する表面層と、通気性を有さない最下層と、該表面層と該最下層との間に配置された中間層を有し、該乾燥粉末は、該中間層に詰められていてもよい。
【００１１】
該乾燥粉末は、該板材の表面に分散されていてもよい。
【００１２】
該乾燥粉末(1)は、該板材(2)の素材に混合されていてもよい。
【考案の効果】
【００１３】
本考案にかかる靴の中敷によれば、利用者が南天処理物を施すことを特に意識しなくても、靴を履いた時点で、水虫に侵された部分に南天の葉の乾燥粉末が南天処理物として施されることになる。また、靴の中敷は、寿命があまり長くなく使い捨てられるものであり、定期的な交換が期待できる。そのため、交換の度に南天処理物の効果の回復を図ることができる。従って、利用者の特別な意識を要することなく、南天処理物を長期にわたって確実に、水虫に侵された部分に施すことができる。
なお、南天の葉の乾燥粉末は、靴の中敷に配置されることにより、脱臭剤としての機能をも果たすことになる。そのため、靴の内部において悪臭の発生を防止できるという副次的効果を得ることもできる。
【００１４】
通気性を有する表面層と通気性を有さない最下層との間に配置された中間層に乾燥粉末を詰めた構造とすれば、利用者の体重がかかると中間層に含まれている乾燥粉末が表面層を通って靴の内部に飛散し、利用者の足に付着することになる。特に、乾燥粉末の粒径を靴下の生地の隙間に侵入できる程度のものとすれば、靴下を掃いている場合でも乾燥粉末が水虫に侵された部分に施される。
【００１５】
また、乾燥粉末を板材の表面に分散させることにより、利用者が裸足で着用する形式の履き物において、乾燥粉末を直接的に施すことができる。
【００１６】
更にまた、利用者が裸足で着用する形式の履き物においては、乾燥粉末を板材の素材に混合させることによっても乾燥粉末を直接的に施すことができる。しかも、板材の素材に分散させる場合よりも容易に製造できる。ただし、水虫に侵された部分に接する乾燥粉末の量は板材の表面に分散させた場合よりも少なくなるという短所があるため、分散させるか混合させるかは、利用者の足の状態や製造設備の都合等を考慮して決めることが好ましい。
【考案を実施するための最良の形態】
【００１７】
図１は、本考案にかかる靴の中敷の具体例を示し、（ａ）は概観を示す斜視図、（ｂ）は（ａ）の破断部を拡大して示す断面図である。
【００１８】
この靴の中敷きは、南天の葉の乾燥粉末１を含有する板材２で構成されている。
【００１９】
この靴の中敷によれば、利用者が南天処理物を施すことを特に意識しなくても、靴を履いた時点で、水虫に侵された部分に南天の葉の乾燥粉末１が南天処理物として施されることになる。また、靴の中敷は、寿命があまり長くなく使い捨てられるものであり、定期的な交換が期待できる。そのため、交換の度に乾燥粉末１の効果の回復を図ることができる。従って、利用者の特別な意識を要することなく、南天処理物である南天の葉の乾燥粉末１を長期にわたって確実に、水虫に侵された部分に施すことができる。
なお、南天の葉の乾燥粉末１は、靴の中敷に配置されることにより、脱臭剤としての機能をも果たすことになる。そのため、靴の内部において悪臭の発生を防止できるという副次的効果を得ることもできる。
【００２０】
板材２は、通気性を有する表面層２１と、通気性を有さない最下層２３と、これらの層２１、２３の間に配置された中間層２２を有している。そして、乾燥粉末１は、中間層２２に詰められていている。なお、最下層２３は通気性を有さない材質で構成されているので、乾燥粉末１の沈降は防止されるようになっている。
この場合、利用者の体重がかかると中間層２２に含まれている乾燥粉末１が表面層を通って靴の内部に飛散し、利用者の足に付着することになる。そのため、利用者が特別な意識を持つことなく靴を履くのみで、水虫に侵された部分に乾燥粉末１が施されることになる。特に、乾燥粉末１の粒径を靴下の生地の隙間に侵入できる程度のものとすれば、靴下を掃いている場合でも乾燥粉末が水虫に侵された部分に施される。
【００２１】
なお、乾燥粉末１は、板材２の表面に分散されてもよい。図２に、乾燥粉末１を表面に分散した中敷の拡大断面を示す。
この場合、利用者が裸足で着用する形式の履き物において、乾燥粉末１を直接的に施すことができる。
【００２２】
利用者が裸足で着用する形式の履き物においては、乾燥粉末１を板材２の素材に混合してもよい。図３に、乾燥粉末１を板材２の素材に混合した中敷の拡大断面図を示す。
この場合、乾燥粉末を直接的に施すことができ、しかも、板材２の表面に分散させる場合よりも容易に製造できる。ただし、水虫に侵された部分に接する乾燥粉末１の量は板材２の表面に分散させた場合よりも少なくなるという短所があるため、分散させるか混合させるかは、利用者の足の状態や製造設備の都合等を考慮して決めることが好ましい。
【図面の簡単な説明】
【００２３】
【図１】本考案にかかる靴の中敷の具体例を示し、（ａ）は概観を示す斜視図、（ｂ）は（ａ）の破断部を拡大して示す断面図である。
【図２】本考案にかかる靴の中敷の他の具体例を示し、乾燥粉末を表面に分散した中敷の拡大断面図である。
【図３】本考案にかかる靴の中敷の更に他の具体例を示し、乾燥粉末を板材の素材に混合した中敷の拡大断面図である。
【符号の説明】
【００２４】
１    乾燥粉末
２    板材
２１  表面層
２２  中間層
２３  最下層
【図１】
0003107394.tif 000003
【図２】
0003107394.tif 000004
【図３】
0003107394.tif 000005